(57)【特許請求の範囲】
【請求項１】
上部に展示物品の展示部を形成した収納室に前面開口部を設け、この前面開口部を被覆する開閉扉の下端を前面開口部の下端に軸支して前面開口部の外側に開放可能とし、この開閉扉の外面に、開閉扉の開放時に保持するとともに開閉扉の開放時には収納室の載置平面と接触して開閉扉の支持脚として作用する取手を突出固定し、この取手を、手で保持するとともに載置平面に突き当てる摘み部と、この摘み部から突出し開閉扉に設けたアジャスター部材に回動自在に挿入螺着する螺子杆とで形成し、開閉扉からの取手の突出長さを調整可能とすると共に、開閉扉の開放時には開閉扉の上面を展示物品の載置部とし、また、収納室には、下端に車輪を接続した展示物品の載置台を出し入れ自在に収納するととともに、この載置台の車輪を係合するレール体を、収納室の底部及び開閉扉の内面に、載置台の摺動方向と平行に配置した事を特徴とする展示台兼用の収納庫。
【発明の詳細な説明】
【０００１】
【産業上の利用分野】
本発明は、展示物品の展示と収納が可能な展示台兼用の収納庫に係るものであり、顧客が展示物品を観察し易く美観に優れた展示を行い、顧客へのアピール度を高めるとともに、展示終了後は、展示物品を内部に収納して保管を可能とし、展示物品の展示と収納作業を効率的に行おうとするものである。
【０００２】
【従来の技術】
従来、タイヤ、バッテリー、オイル、米、植木用土、その他の販売店にて、これらの展示物品を展示するには、倉庫や収納庫から展示場所まで展示物品を運び、展示場所に設置した展示台等に載置していた。そして、営業終了時等に、一旦展示を終了する際は、展示物品を展示台に展示したまま保管する事もあるが、屋外での展示の場合や、貴重品、食品等の展示の場合等は、盗難防止や品質保護のため、展示物品を倉庫や保存庫に戻し、施錠する等の方法で保管していた。そして、次回の展示の際に、再び展示物品を収納場所から運び出し、展示台に載置していた。
【０００３】
【発明が解決しようとする課題】
しかしながら、展示の開始と終了毎に、展示物品の運び出しや片づけを行うのは、労力や時間が掛かり、煩わしいものであった。この問題を解消するため、展示物品の展示と収納が可能な収納庫が従来より存在する。この収納庫は、内部に展示物品の載置用の底棚や複数の中棚を設けるとともに、前面に展示物品の出し入れを行う開口部を設け、この開口部にシャッターを開閉自在に接続している。また、この従来の収納庫は、シャッターに鍵を取り付けたり、コンクリート面にアンカーで固定する等の方法で設置する事により、盗難を防止して、より安全な展示物品の保管が可能となる。
【０００４】
そして、展示物品の展示の際は、シャッターを上げて開口部を開口し、収納庫の中棚や底棚に展示物品を載置すると、顧客は開口部を介して収納庫内の展示物品を見る事ができる。そして、展示終了の際には、シャッターを下ろして開口部を被覆し、施錠する事により、展示物品の収納が完了するとともに展示物品の安全な保管が可能となる。このように、シャッターの開閉を行うだけで、収納庫は展示物品の展示台としての使用と、収納・保管庫としての使用が可能であった。また、展示と収納の際に、展示物品の運び出しや片づけを毎回行う必要がなく、作業が容易であった。
【０００５】
しかしながら、この従来の収納庫内に展示物品を収納した展示では、平面的で装飾性やインパクトが低いため、展示物品が目立たず、顧客の興味を引きにくいものであった。また、展示物品を開口部を介して見るだけでは、壁面や天面、中棚等で遮られて、顧客は展示物品の前面側のみ見えるだけで、全体を確認できず、顧客は展示物品の機能やデザインを明確に把握しにくかった。
【０００６】
本発明は上述の如き欠点を除去するため、商品、展示物等の展示物品の展示と収納が可能な収納庫に於いて、展示物品の展示の際は、顧客の興味を強く引くような装飾性やインパクトに優れた展示を可能とするとともに、顧客が展示物品を観察し易い配置で、展示物品の機能やデザイン等を詳細に把握可能なものとする。また、収納庫を展示台として使用する際の移行作業を、迅速かつ簡易な方法で行うとともに、この作業に伴う展示物品の移動を容易に行う事を可能とし、作業効率を向上しようとするものである。
【０００７】
【課題を解決するための手段】
本発明は、上述の如き課題を解決するため、上部に展示物品の展示部を形成した収納室に前面開口部を設け、この前面開口部を被覆する開閉扉の下端を前面開口部の下端に軸支して前面開口部の外側に開放可能とし、この開閉扉の外面に、開閉扉の開放時に保持するとともに開閉扉の開放時には収納室の載置平面と接触して開閉扉の支持脚として作用する取手を突出固定し、この取手を、手で保持するとともに載置平面に突き当てる摘み部と、この摘み部から突出し開閉扉に設けたアジャスター部材に回動自在に挿入螺着する螺子杆とで形成し、開閉扉からの取手の突出長さを調整可能とすると共に、開閉扉の開放時には開閉扉の上面を展示物品の載置部とし、また、収納室には、下端に車輪を接続した展示物品の載置台を出し入れ自在に収納するととともに、この載置台の車輪を係合するレール体を、収納室の底部及び開閉扉の内面に、載置台の摺動方向と平行に配置して成るものである。
【０００８】
【作用】
本発明は上述の如く構成したものであるから、収納庫の収納室は、内部にタイヤ、バッテリー、オイル、米、植木用土等の適宜の展示物品を収納して保管する事ができるとともに、開閉扉は、これらの展示物品を展示する展示台としての機能を持つものである。そして、収納室の内部に展示物品を収納するには、まず開閉扉の取手を保持して開放方向に引く。この開閉扉の開放操作により、開閉扉は下端の軸支部分を支点に外方に回転し、収納室の下端側に水平に突出配置されるとともに、開放扉の外面に突出した取手が収納庫の載置平面と接触する。この取手が開閉扉の支持脚として作用し、開閉扉の載置平面への設置安定性を高めている。
【０００９】
次に、この開閉扉の開放により開口した前面開口部を介して、作業者は収納室の内部に展示物品を収納する事ができる。そして、収納完了後は、開閉扉を閉鎖して、前面開口部を被覆する事により、展示物品の保管が可能となる。また、開閉扉に鍵等を設ければ、収納室内の展示物品を、より安全に保管する事が可能となる。
【００１０】
また、本発明の収納庫を展示台として使用する際には、展示物品の収納時と同様に、開閉扉を開放して、載置平面に取手を突当て、収納室の下端前方に、開閉扉を水平に突出配置する。この水平に配置した開閉扉の上面に形成される載置部に、収納室内から取り出した展示物品を載置する事ができる。そして、支持脚として作用する取手により、開閉扉の安定性が保たれているので、載置部への展示物品の載置を良好に行う事ができる。また、収納室の上部に形成した展示物品の展示部にも、収納室内の展示物品や、他の収納庫や倉庫等から運んできた展示物品を載置し、従来通りの展示物品の展示が可能となる。
【００１１】
このように、本発明の収納庫では、収納室上部の展示部と、収納室の下端前方に突出した開閉扉の載置部にて構成される、雛壇状の展示台に展示物品を展示するので、顧客の目に立体的に働きかけ、インパクトが高まるとともに、美観にも優れ、顧客へのアピール度が高まるものとなる。また、載置部に載置した展示物品は、前面だけでなく、両側、上面等からも明確に確認する事ができ、顧客は展示物品のデザインや機能を把握し易いものとなる。
【００１２】
そして、展示終了後は、開閉扉の載置部に載置した展示物品を、収納室内に戻す。次に、水平状態の開閉扉を閉鎖方向に回転して、前面開口部を被覆する事により、展示物品の収納が完了するとともに、次回の展示までの保管が可能となる。
【００１３】
このように、顧客へのアピール度が高い展示物品の展示が可能な載置部の設置作業を、開閉扉の開放を行うだけで、簡単かつ迅速に行う事ができる。また、展示終了後は、開閉扉を閉鎖するだけで、載置部を簡単かつコンパクトに収納する事ができる。従って、展示物品の収納庫としての使用の際は、収納庫には突出部がなく、設置スペースを無駄に必要としたり、収納庫の周辺での作業や通行の邪魔となる事はない。また、展示物品の展示と収納を行う際の展示物品の移動が、載置部と収納室内部の移動だけで済むので、作業時間や労力を省く事ができる。
【００１４】
また、取手は、手で保持して開閉扉の開閉を容易に行う事ができ、開閉扉の開放後は収納庫の載置平面と接触して、支持脚として作用可能であれば、ドアノブ状、杆状、レバー状等、何れの形状のものであっても良いし、幅広の取手を一個のみ設けても、適宜の間隔で複数個設けても良い。その一例として、取手は、手で保持するとともに載置平面に突き当てる摘み部と、この摘み部から突出し開閉扉に設けたアジャスター部材に回動自在に挿入螺着する螺子杆とで構成し、開閉扉からの取手の突出長さを調整可能に形成する。
【００１５】
このように、突出長さを調整可能とする事により、取手を支持脚として作用した際に、この支持脚にアジャスター機能を持たせる事ができる。従って、開閉扉を開放した場合に、載置平面に多少の傾斜や凹凸があっても、取手を回動して突出長さを調整する事により、ぐらつきや傾きを防止して、開閉扉を確実に水平に配置可能となるとともに、安定性の良い展示物品の載置が可能となる。
【００１６】
また、収納室には、下端に車輪を接続した展示物品の載置台を出し入れ自在に収納するとともに、この載置台の車輪を係合するレール体を、収納室の底部及び開閉扉の内面に、載置台の摺動方向と平行に配置しても良い。このような収納室を使用するには、まず開閉扉を開放し、載置平面に水平に配置すると、開閉扉の載置部に接続した複数のレール体と、収納室の底部に接続した複数のレール体とがそれぞれ一直線上に配置される。次に、収納室内の載置台を、開閉扉方向に引き出し、載置部の上面まで移動するが、この載置台は、車輪を前記レール体に係合しながら摺動するので、小さな力で円滑な引き出しが可能であるとともに、開閉扉から外れる事がなく、載置部の上面に確実に配置される。この載置台の上面に展示物品を載置する事により、効果的な展示が可能となる。
【００１７】
また、展示終了後は、展示物品ごと載置台を収納室方向に押圧するが、上面に展示物品を載置したままでも、車輪の作用により、載置台を容易にかつ確実に収納室内に移動する事ができる。そして、展示物品と載置台とを収納室内に収納したら、開閉扉を閉鎖する事により、展示物品の保管が可能となる。そして、再び展示物品の展示を行う際は、開閉扉を開放し、展示物品ごと載置台を引き出して、載置部まで円滑に移動する事ができ、展示作業を迅速かつ容易に行う事ができる。
【００１８】
【実施例】
以下本発明の一実施例を図面に於て説明すれば、(１)は収納室で、図２に示す如く、一対の両側パネル(２)と、底面パネル(３)、背面パネル(４)とで構成している。また、底面パネル(３)の下端４箇所に、コンクリートアンカー(５)を設け、コンクリート床等の載置平面(６)に、収納室(１)を移動不能に固定可能としている。
【００１９】
また、収納室(１)は、前面に展示物品(７)の出し入れを行う前面開口部(８)を設け、この前面開口部(８)を、開閉扉(１０)にて被覆可能としている。この開閉扉(１０)は、下端を前面開口部(８)の下端と蝶番(１１)により接続し、この蝶番(１１)による接続部分を支点に、開閉扉(１０)を前面開口部(８)の外側に開放可能としている。更に、開閉扉(１０)を閉鎖した際の開閉扉(１０)上端と、前面開口部(８)の上部に設けた扉受部(１２)との接触面に、マグネットキャッチ(図示せず)等を接続し、多少の衝撃を受けても、開閉扉(１０)の閉鎖状態を維持可能としている。また、(１３)は鍵穴で、開閉扉(１０)の施錠を可能とし、収納室(１)の盗難に対する安全性を高めている。そして、開閉扉(１０)の開放時は、収納室(１)の下端に、載置平面(６)と平行に配置可能とし、開閉扉(１０)の上面を、展示物品(７)の載置が可能な載置部(１４)としている。
【００２０】
また、この開閉扉(１０)の外面には、幅方向３箇所に、開閉扉(１０)の開閉のためのドアノブ状の取手(１５)を設けている。この取手(１５)は、図５に示す如く、螺子杆(１７)の先端に手で保持可能な摘み部(１６)を設け、この螺子杆(１７)を、開閉扉(１０)の外面から挿入固定したアジャスター部材(１８)に挿入螺着している。このアジャスター部材(１８)は、螺子杆(１７)を螺着挿入する内螺子(３１)を開閉扉(１０)の外側に設けるとともに、開閉扉(１０)の内側に、固定ナット(３３)を固定するための外螺子(３２)を形成している。
【００２１】
そして、摘み部(１６)を時計回り又は反時計回りに回動して、アジャスター部材(１８)への螺子杆(１７)の挿入量を調整する事により、開閉扉(１０)からの取手(１５)の突出長さを調整可能としている。
【００２２】
また、取手(１５)は、図５に示す如く、開閉扉(１０)を水平に開放した際に、摘み部(１６)を収納室(１)の載置平面(６)に突当て接触可能とし、開閉扉(１０)の支持脚として作用するように形成している。また、載置平面(６)に傾斜や凹凸がある場合には、前述の如く、摘み部(１６)を円周方向に回動して、取手(１５)の突出長さを調整する事により、開閉扉(１０)の傾きやぐらつきを確実に防止して、展示物品(７)の載置安定性を高めている。
【００２３】
また、収納室(１)は、図１に示す如く、上部の開口部分に、収納室(１)とは別体に設けた展示物品(７)の展示部(２０)を配置固定している。この展示部(２０)は、前面を大きく開口して展示物品(７)の出し入れを行う出入口(２１)を設けるとともに、この出入口(２１)を鍵付きのシャッター(２２)にて被覆可能としている。また、展示部(２０)は、展示物品(７)の載置が可能な底棚(２３)を設けるとともに、空間内には、展示物品(７)の大きさや収納効率を考慮して、取り外し及び取り付け位置の調整が可能な中棚(２４)を、一段又は複数段、配置している。
【００２４】
上述の如く形成した収納庫(２５)では、展示物品(７)の収納と安全な保管が可能となるとともに、展示物品(７)の展示台としての機能も持つものとなる。そして、展示物品(７)の収納と保管を行うには、図２、図４に示す如く、収納室(１)の開閉扉(１０)を開放し、前面開口部(８)を開口するとともに、展示部(２０)のシャッター(２２)を上げて、出入口(２１)を開口する。次に、収納室(１)内の底面パネル(３)上に、前面開口部(８)を介して、タイヤ、バッテリー、オイル、米、植木用土等の適宜の展示物品(７)を収納する。この作業は、開放扉(１０)を水平に開放して、前面開口部(８)を大きく開口しているので、容易に行う事ができる。また、展示部(２０)の底棚(２３)及び中棚(２４)にも、出入口(２１)を介して展示物品(７)を収納する事ができる。
【００２５】
展示物品(７)の収納が終了したら、図３に示す如く、収納室(１)の開閉扉(１０)を閉鎖し、前面開口部(８)を被覆するとともに、展示部(２０)のシャッター(２２)を下げて、出入口(２１)も閉鎖する事により、展示物品(７)の収納が完了する。尚、開閉扉(１０)は、マグネットキャッチにより、前面開口部(８)の扉受部(１２)に確実に止着されるので、収納庫(２５)の振動や傾斜、及び収納室(１)内の展示物品(７)の追突等で容易に開放する事はなく、展示物品(７)の良好な保管が可能となる。また、本実施例の収納庫(２５)は、開閉扉(１０)とシャッター(２２)との施錠が可能であるとともに、コンクリートアンカー(５)によって、載置平面(６)に移動不能に固定しているので、盗難等を防止し、展示物品(７)の安全な保管が可能となる。
【００２６】
また、収納庫(２５)を展示物品(７)の展示台として使用するには、まず展示部(２０)では、鍵を解除したシャッター(２２)を上げて、出入口(２１)を開口する。この出入口(２１)の開口により、展示部(２０)の中棚(２４)と底棚(２３)に配置した展示物品(７)を、顧客が外部から見る事ができ、従来通りの展示が可能である。
【００２７】
一方、収納室(１)では、開閉扉(１０)の鍵を解除した後、取手(１５)の摘み部(１６)を保持して外側に引く事により、下端の軸支部を支点に開閉扉(１０)が外側に開き、前面開口部(８)が開口する。次に、開放した開閉扉(１０)の取手(１５)を、収納庫(２５)の載置平面(６)に突当て、図４に示す如く、開閉扉(１０)を水平に配置する。尚、載置平面(６)に傾きや凹凸がある場合は、前述の如く、何れかの取手(１５)の突出長さを調整し、開閉扉(１０)を水平に配置できるようにする。この開閉扉(１０)の開放により、開閉扉(１０)の上面の載置部(１４)が、収納庫(２５)の下端前方に突出配置する。そして、この載置部(１４)の上面に、図４の二点鎖線で示す如く、収納室(１)内から取り出した展示物品(７)を載置する。
【００２８】
このように、展示部(２０)だけでなく、収納庫(２５)の下端に雛壇状に突き出した載置部(１４)に展示物品(７)を展示するので、展示に立体感が出るとともに美観も向上し、顧客へのアピール度が高まるものとなる。また、従来の収納庫では、展示物品(７)の全体像を把握しにくいものであったが、載置部(１４)に載置した展示物品(７)は、上面や側面から眺める事ができ、顧客は展示物品(７)のデザインや機能を詳細に把握する事ができる。また、タイヤ等の展示物品(７)は、載置部(１４)に水平に載置するだけでは、実際の使用イメージを把握しにくいが、図２の二点鎖線で示す如く、収納室(１)の上端の扉受部(１２)や、底棚(２３)の縁に展示物品(７)を立て掛けて載置する事により、より装飾性に優れ、タイヤの使用時の状態に近い展示が可能であり、顧客の目に付き易くなるとともに、タイヤのデザインや色、光沢等を明確に確認できる。
【００２９】
そして、展示の終了時は、載置部(１４)の展示物品(７)を収納室(１)内に戻し、開閉扉(１０)を閉鎖する事により、収納作業が完了し、次回の展示まで展示物品(７)を保管する事ができる。また、この開閉扉(１０)の閉鎖と同時に、収納庫(２５)から突出した載置部(１４)の収納も完了し、展示物品(７)の保管の際には、収納庫(２５)の設置面積を節約する事ができる。また、展示部(２０)に於いても、シャッター(２２)を下ろして出入口(２１)を閉鎖する。そして、開閉扉(１０)とシャッター(２２)を施錠する事により、展示物品(７)の安全な保管が可能となる。
【００３０】
また、上記第１実施例では、従来の如く倉庫等から展示物品(７)を移動する場合に比べて、作業効率が向上するが、展示物品(７)の展示と収納を行うたびに、収納室(１)内と載置部(１４)間にて、展示物品(７)を一つずつ移動する必要があるので、数量が多かったり、重量のある展示物品(７)の場合は、移動に時間や労力が掛かる場合がある。この問題を解消するため、図６乃至図９に示す他の異なる第２実施例では、下端に車輪(２６)を接続した展示物品(７)の載置台(２７)を、収納室(１)内に出し入れ自在に収納している。
【００３１】
この車輪(２６)は、図７、図９に示す如く、載置台(２７)の幅方向に４個ずつ、摺動方向に３個ずつ配置している。そして、この載置台(２７)の車輪(２６)を係合するレール体(２８)(３０)を、各々幅方向に４本ずつ、収納室(１)の底面パネル(３)上面、及び開閉扉(１０)の載置部(１４)に、載置台(２７)の摺動方向と平行に接続配置している。
【００３２】
上述の如き第２実施例の収納室(１)を使用するには、まず図８に示す如く、開閉扉(１０)を開放し、取手(１５)を載置平面(６)に突き当てる事により、開閉扉(１０)を載置平面(６)に水平に設置する。この開閉扉(１０)の開放により、開閉扉(１０)の載置部(１４)に接続した４本のレール体(３０)と、各レール体(３０)の対応位置にある収納室(１)の４本のレール体(２８)とが、それぞれ一直線上に配置される。そして、収納室(１)内に配置した載置台(２７)を、前面開口部(８)を介して開閉扉(１０)方向に引くと、載置台(２７)の車輪(２６)が収納室(１)のレール体(２８)と載置部(１４)のレール体(３０)に沿って円滑に摺動し、図８の二点鎖線及び図６に示す如く、載置台(２７)が載置部(１４)の上面に移動する。
【００３３】
そして、この載置台(２７)に、展示物品(７)を載置する事により、第１実施例と同様に顧客へのアピール性に優れた展示物品(７)の展示を行う事ができる。また、展示終了後は、展示物品(７)を載置した状態で、載置台(２７)を収納室(１)の内部方向に押圧して、収納室(１)内に移動するが、車輪(２６)の作用により、重い載置台(２７)でも、容易に移動する事ができる。そして、図７に示す如く、開閉扉(１０)を閉鎖する事により、展示物品(７)の保管を行う事ができる。
【００３４】
そして、次回の展示の際は、開閉扉(１０)を開放し、展示物品(７)を載置したまま載置台(２７)を載置部(１４)上面に引き出すだけで、展示作業が完了する。このように、第２実施例の収納庫(２５)は、収納室(１)内と載置部(１４)間の展示物品(７)の移動を、第１実施例の如く、展示物品(７)毎に行うのではなく、載置台(２７)の移動のみで全ての展示物品(７)の移動が完了するので、作業効率に優れたものとなる。一方、第１実施例の収納庫(２５)は、第２実施例に比べて、製造の手数やコストが低く、廉価な製品を得る事ができ、使用目的や予算に応じて、何れかの実施例の収納庫(２５)を製作するのが好ましい。
【００３５】
また、上記各実施例では、開閉扉(１０)には、ドアノブ状の取手(１５)を３個設けているが、開閉扉(１０)の開閉を容易に行え、開閉扉(１０)の支持脚として作用可能なものであれば、取手(１５)は、何れの形状で形成しても良いし、開閉扉(１０)の外面の何れの位置に何個設けても良い。そして、他の異なる実施例として、幅方向に長尺な杆状の取手(１５)を一本設けても良いし、レバー状の取手(１５)としても良い。
【００３６】
【発明の効果】
本発明は、上述の如く構成したものであるから、展示物品の展示を行う展示台としての機能を兼ね備えた収納庫を得る事ができる。そして、展示物品の展示の際は、収納庫の下端前方に突出した載置部と、収納室の上面の展示部とで雛壇状の展示台を構成できるので、立体的で美観に優れた展示物品の展示が可能となり、顧客へのアピール度が高まるものとなる。また、載置部に載置する事により、展示物品の前面だけでなく、上面や両側から明確に確認する事ができ、顧客は全体のデザインや機能を詳細に把握する事ができる。また、展示終了後は、収納室に展示物品を収納可能で、収納作業の手間を省くとともに、次回の展示まで展示物品を保管する事が可能となる。
【００３７】
また、収納室の開閉扉を開閉するだけで、載置部の設置と収納を簡単かつ迅速に行えるとともに、収納室にて展示物品の収納と保管を行う際には、収納庫には何ら突出がなく、設置スペースを無駄に必要としたり、収納庫の周辺での作業や通行の邪魔となる事はない。また、取手を操作して、開閉扉の開閉を容易に行えるとともに、取手が支持脚として作用する事により、開閉扉の安定性と強度を高めるとともに、載置部を水平に配置する事が可能となり、展示物品を安定して載置する事ができる。
【図面の簡単な説明】
【図１】  本発明の一実施例を示す収納庫の全体斜視図。
【図２】  展示部のシャッターと、収納室の開閉扉とを開放した状態の斜視図。
【図３】  開閉扉を閉鎖した状態を示す収納室の拡大断面図。
【図４】  開閉扉を開放した状態を示す収納室の拡大断面図。
【図５】  開閉扉に設けた取手の拡大断面図。
【図６】  第２実施例の収納庫の全体斜視図。
【図７】  載置台を収納室に収納し、開閉扉を閉鎖した状態を示す収納室の拡大断面図。
【図８】  開閉扉を開放し、載置台を載置部方向に引き出す過程を示す収納室の拡大断面図。
【図９】  載置台の車輪と、レール体との係合関係を示す収納室の正面図。
【符号の説明】
１  収納室
６  載置平面
７  展示物品
８  前面開口部
１０  開閉扉
１４  載置部
１５  取手
１６  摘み部
１７  螺子杆
１８  アジャスター部材
２０  展示部
２６  車輪
２７  載置台
２８  レール体
３０  レール体
【図１】
0003966663.tif 000002
【図２】
0003966663.tif 000003
【図３】
0003966663.tif 000004
【図４】
0003966663.tif 000005
【図５】
0003966663.tif 000006
【図６】
0003966663.tif 000007
【図７】
0003966663.tif 000008
【図８】
0003966663.tif 000009
【図９】
0003966663.tif 000010